(57)【要約】【課題】  割り込みコピーが必要な場合にのみ割り込みモードへの移行が可能であると共に、割り込みモードへの移行が不可能である場合に、その旨をユーザに対して通知することが可能な複合端末装置を提供する。【解決手段】  ネットワークを介して送信されたデータを受信する第１の受信部と、電話回線を介して送信されたデータを受信する第２の受信部と、外部データの入力を受付ける入力部と、第１の受信部によるネットワークデータの受信処理中に入力部が外部データの入力を受付けた場合、外部データに基づく割り込み処理を実行可能と判断し、第２の受信部による電話回線データの受信処理中に入力部が外部データの入力を受付けた場合、外部データに基づく割り込み処理を実行不可能と判断する割り込み判断部と、割り込み処理が不可能と判断された場合、外部データに基づく割り込み処理を実行する割り込み実行制御部とを備えた複合端末装置。【選択図】  図２
2010171494.tif 000002
【特許請求の範囲】
【請求項１】
ネットワークを介して送信されたネットワークデータを受信する第１の受信部と、
電話回線を介して送信された電話回線データを受信する第２の受信部と、
外部データ出力機構から出力された外部データの入力を受付ける入力部と、
前記第１の受信部による前記ネットワークデータの受信処理中に前記入力部が前記外部データの入力を受付けた場合、前記外部データに基づく割り込み処理を実行可能と判断し、前記第２の受信部による前記電話回線データの受信処理中に前記入力部が前記外部データの入力を受付けた場合、前記外部データに基づく割り込み処理を実行不可能と判断する割り込み判断部と、
前記割り込み判断部が前記割り込み処理が可能であると判断した場合、前記外部データに基づく割り込み処理を実行する割り込み実行制御部とを備えることを特徴とする複合端末装置。
【請求項２】
前記第１の受信部による前記ネットワークデータの受信か、或いは前記第２の受信部による前記電話回線データの受信か、を受信情報として保持するジョブ設定部を備えることを特徴とする請求項１記載の複合端末装置。
【請求項３】
前記外部データ出力機構は、原稿上の画像を読取る画像読取部を備えることを特徴とする請求項１記載の複合端末装置。
【請求項４】
前記外部データ出力機構は、外部メモリに記憶された画像を読出す画像読出し部を備えることを特徴とする請求項１記載の複合端末装置。
【発明の詳細な説明】
【技術分野】
【０００１】
本発明は、ネットワーク、及び電話回線に接続可能な複合端末装置に関するものである。
【背景技術】
【０００２】
従来、例えば、プリント機能を備えた複合端末装置において、複合端末装置側が印刷ジョブを実行中に、ホストコンピュータ側からの指示コマンドによって割り込み処理が指示された場合、複合端末装置は作業領域に格納している印刷ジョブにかかるデータを一旦、待避領域に複写し、指示コマンドによって指示された割り込み処理を当該作業領域に充てて処理を実行する複合端末装置があった。そして、このような複合端末装置は、割り込み処理が終了した後、待避領域に複写した印刷ジョブにかかるデータを再度、作業領域に再複写して印刷ジョブにかかる処理を実行する（例えば、特許文献１参照）。
【先行技術文献】
【特許文献】
【０００３】
【特許文献１】特開２００１−３３４７０７号公報
【発明の概要】
【発明が解決しようとする課題】
【０００４】
しかしながら、上記構成の複合端末装置においては、例えば、受信したＦＡＸ信号に基づく印刷ジョブ（以下、ＦＡＸ受信印刷ジョブと称する）に使用されるＰＤＬ（Page Description Language）とコピー等の印刷ジョブに使用されるＰＤＬとが同一である場合、ＦＡＸ受信印刷ジョブを処理中に、割り込みコピーの実行が指示されたとしても、複合端末装置は割り込みコピーを実行できない、つまり、ＦＡＸ受信印刷ジョブにかかる処理を一時中断し、割り込みコピー機能のみが使用できる、いわゆる割り込みモードに移行できないといった問題があった。
【０００５】
そして、このような割り込みモードへの移行は、複合端末装置がコピー等の印刷ジョブを実行できる装置状態でなくとも不必要に試みられると共に、割り込みモードへの移行が不可能である旨はユーザには通知されず、複合端末装置の使い勝手が悪いといった問題もあった。
【０００６】
本発明はこのような実情に鑑みてなされたものであり、本発明の課題は、割り込みコピーが必要な場合にのみ割り込みモードへの移行が可能であると共に、割り込みモードへの移行が不可能である場合に、その旨をユーザに対して通知することが可能な複合端末装置を提供することである。
【課題を解決するための手段】
【０００７】
上記課題を解決するために、本発明にかかる複合端末装置は、ネットワークを介して送信されたネットワークデータを受信する第１の受信部と、電話回線を介して送信された電話回線データを受信する第２の受信部と、外部データ出力機構から出力された外部データの入力を受付ける入力部と、第１の受信部によるネットワークデータの受信処理中に入力部が外部データの入力を受付けた場合、外部データに基づく割り込み処理を実行可能と判断し、第２の受信部による電話回線データの受信処理中に入力部が外部データの入力を受付けた場合、外部データに基づく割り込み処理を実行不可能と判断する割り込み判断部と、割り込み判断部が割り込み処理が可能であると判断した場合、外部データに基づく割り込み処理を実行する割り込み実行制御部とを備えることを特徴とする。
【発明の効果】
【０００８】
本発明によれば、割り込みコピーが必要な場合にのみ割り込みモードへの移行が可能であると共に、割り込みモードへの移行が不可能である場合に、その旨をユーザに対して通知することが可能となり、複合端末装置の使い勝手を向上させることができる。
【図面の簡単な説明】
【０００９】
【図１】複合端末装置の機能構成を説明するブロック図である。
【図２】オペレータパネルの構成例を説明する図である。
【図３】ジョブ設定部を説明する図である。
【図４】複合端末装置の処理動作を説明するフローチャートである。
【図５】割り込み判断部による割り込みモードへの移行可否の判断方法を説明するフローチャートである。
【図６】複合端末装置が解析、翻訳可能なＰＤＬの種類の一例を示したものである。
【図７】複合端末装置の処理を説明するタイムチャートである。
【図８】複合端末装置の処理を説明するタイムチャートである。
【図９】複合端末装置の機能構成を説明するブロック図である。
【図１０】割り込み判断部による割り込みモードへの移行可否の判断方法を説明するフローチャートである。
【図１１】複合端末装置の処理を説明するタイムチャートである。
【図１２】複合端末装置の処理を説明するタイムチャートである。
【発明を実施するための最良の形態】
【００１０】
以下、本発明の実施形態について図面を参照して説明する。なお、本発明は以下の記述に限定されるものではなく、本発明の要旨を逸脱しない範囲において適宜変更可能である。
【００１１】
［第１の実施形態］
図１は、第１の実施形態にかかる複合端末装置１１４の機能構成を説明するブロック図である。複合端末装置１１４は、ＬＡＮ（Local Area Network）ケーブル１０３を介して上位装置としてのホストＰＣ１０１と接続されており、また、電話回線ケーブル１０４を介して上位装置としてのＦＡＸ１０２と接続されている。そして、複合端末装置１１４は、これらの上位装置から送信された印刷データを受信し、当該印刷データに基づく画像を記録用紙に印刷することができる。
【００１２】
このような機能を備えた複合端末装置１１４は、ＰＣデータ受信部１０５と、ＦＡＸデータ受信部１０６と、ＰＣデータ解析部１０７と、Ｃｏｐｙデータ解析部１０８と、ジョブ管理部１０９と、印刷制御部１１０と、エンジン部１１１と、割り込み判断部１１２と、割り込み実行制御部１１３と、オペレータパネル１１５と、装置設定部１１６と、ジョブ設定部１１７と、画像読取部１１８と、を備える。
【００１３】
ＰＣデータ受信部１０５は、ホストＰＣ１０１から送信された印刷データをＬＡＮケーブル１０３を介して受信する。
【００１４】
ＦＡＸデータ受信部１０６は、ＦＡＸ１０２から送信された印刷データを電話回線ケーブル１０４を介して受信する。
【００１５】
ＰＣデータ解析部１０７は、ホストＰＣ１０１から印刷データを受信した場合に、当該印刷データの解析を行うと共に、例えば、ＰＣＬ（Printer Command Language）、ＰＳ（PostScript）形式のＰＤＬを解析、翻訳する。
【００１６】
Ｃｏｐｙデータ解析部１０８は、ＦＡＸ１０２から印刷データを受信した場合に、当該印刷データの解析を行うと共に、例えば、Ｈｉｐｅｒ−ＭＩＰ形式のＰＤＬを解析、翻訳する。
【００１７】
ジョブ管理部１０９は、受信した印刷データに基づいて印刷ジョブを生成すると共に、印刷ジョブを総括的に管理する。そして、ジョブ管理部１０９は、ＰＣデータ解析部１０７、又はＣｏｐｙデータ解析部１０８が解析した印刷データの解析結果を参照し、ジョブ設定部１１７を設定する。
【００１８】
印刷制御部１１０は、ジョブ管理部１０９で生成した印刷ジョブをエンジン部１１１に出力すると共に、エンジン部１１１を統括的に制御する。
【００１９】
エンジン部１１１は、例えば、電子写真方式の印刷エンジンであり、印刷制御部１１０からの印刷ジョブの入力を受け、記録用紙に印刷データに基づく画像を印刷する。
【００２０】
割り込み判断部１１２は、ホストＰＣ１０１から送信された印刷データに基づく印刷ジョブを実行中に、割り込みコピーの実行要求を受けた場合は、当該割り込みコピーの実行を許可し、ＦＡＸ１０２から送信された印刷データに基づく印刷ジョブの実行中に、割り込みコピーの実行要求を受けた場合は、当該割り込みコピーの実行を禁止する判断をＰＣデータ解析部１０７、又はＣｏｐｙデータ解析部１０８が解析した印刷データの解析結果から判断する。
【００２１】
割り込み実行制御部１１３は、割り込みモードへの移行にかかる処理を実行する。つまり、割り込み実行制御部１１３は、割り込み判断部１１２が割り込みコピーの実行を許可した場合に、ジョブ管理部１０９に対して割り込み要求を通知し、実行中の印刷ジョブにかかる印刷を一時停止させると共に、割り込みコピーを実行させる。
【００２２】
オペレータパネル１１５は、例えば、図２に示すように、複合端末装置１１４の装置モードの切り替えを受付けるコピーモードキー２０１、ＦＡＸモードキー２０２、スキャナモードキー２０３、及びプリントモードキー２０４と、複合端末装置１１４の装置状態や、ユーザにより選択された選択内容等を表示するためのＬＣＤ（Liquid Crystal Display）パネル２０５と、コピー枚数等の数値入力を受付けるテンキー２０６と、割り込みコピーの実行要求を受付ける割り込みキー２０７と、実行中の処理の中断要求を受付けるストップキー２０８と、コピーを実行させる場合に、カラーコピーか、又はモノクロコピーかの選択を受付けるカラーコピーキー２０９、モノクロコピーキー２１０と、を備える。なお、図２に示すオペレータパネル１１５の構成は、構成例の一形態を示したものであり、この他にも、例えば、ＬＣＤパネル２０５に表示された選択項目の選択を容易にするための矢印キー等を備える構成としてもかまわない。
【００２３】
装置設定部１１６は、ユーザによりオペレータパネル１１５を介して入力された複合端末装置１１４の設定値を保持する。
【００２４】
ジョブ設定部１１７は、ＰＣデータ解析部１０７、又はＣｏｐｙデータ解析部１０８が解析した印刷データの解析結果に基づき、ジョブ管理部１０９が設定した印刷ジョブの設定値を、例えば、図３に示すようなテーブル形式で保持する。
【００２５】
画像読取部１１８は、例えば、フラットベット、自動用紙搬送装置等の原稿を給紙するための原稿給紙装置や、光源、ＣＣＤ（Charge Coupled Device）イメージセンサ等の原稿上の画像を読取り、読取った原稿に基づく画像データを生成するための画像読取装置を有するスキャナ装置である。
【００２６】
次に、本実施形態にかかる複合端末装置１１４の処理動作について図４を用いて説明する。図４は、複合端末装置１１４における割り込みコピーへの移行にかかる処理を説明するフローチャートである。
【００２７】
まず、ステップＳ４０１において、複合端末装置１１４は、印刷データを送信する上位装置がホストＰＣ１０１であれば、ＬＡＮケーブル１０３を介してＰＣデータ受信部１０５で印刷データを受信し、上位装置がＦＡＸ１０２であれば、電話回線ケーブル１０４を介してＦＡＸデータ受信部１０６で印刷データを受信する。
【００２８】
ＰＣデータ受信部１０５、若しくはＦＡＸデータ受信部１０６において、印刷データを受信すると、ジョブ管理部１０９は、印刷ジョブを生成すると共に（ステップＳ４０２）、ＰＣデータ解析部１０７、若しくはＣｏｐｙデータ解析部１０８に対して受信した印刷データを解析するよう指示を与える。
【００２９】
ここで、ＰＣデータ受信部１０５で印刷データを受信した場合、ＰＣデータ解析部１０７が印刷データの解析を行い、ＦＡＸデータ受信部１０６で印刷データを受信した場合、Ｃｏｐｙデータ解析部１０８が印刷データの解析を行う。なお、画像読取部１１８で生成された画像データについては、Ｃｏｐｙデータ解析部１０８が画像データの解析を行う。そして、ＰＣデータ解析部１０７、又はＣｏｐｙデータ解析部１０８は印刷データの解析結果をジョブ管理部１０９に出力する。
【００３０】
次に、ジョブ管理部１０９は、ＰＣデータ解析部１０７、又はＣｏｐｙデータ解析部１０８に対して印刷データの解析、翻訳を指示すると共に（ステップＳ４０４）、印刷データの翻訳により生成したページデータと印刷ジョブとを関連付ける。
【００３１】
そして、ジョブ管理部１０９は、印刷ジョブとページデータとを印刷制御部１１０に出力する。印刷ジョブとページデータとが入力された印刷制御部１１０は、当該ページデータをエンジン部１１１に出力し、エンジン部１１１は入力されたページデータに基づく画像の印刷を開始する（ステップＳ４０５）。
【００３２】
なお、ここで、上位装置から送信された印刷データの受信、印刷データの解析、翻訳（印刷データの編集と展開処理）、印刷データに基づく画像の印刷にかかる処理を受信処理と定義する。
【００３３】
受信処理が開始された後、あるタイミングでユーザがオペレータパネル１１５の割り込みキー２０７を押下すると（ステップＳ４０６）、装置設定部１１６は、ユーザが割り込みキー２０７を押下した旨を設定値として設定すると共に、実際に割り込みモードへの移行可否を判断するよう割り込み判断部１１２に指示を与える。指示を受けた割り込み判断部１１２は、割り込みモードへの移行可否を判断する（ステップＳ４０７）。なお、割り込みモードとは、前述したように、印刷ジョブにかかる処理を一時中断し、割り込みコピー機能のみが使用できる状態のことを表す。
【００３４】
ここで、割り込み判断部１１２による割り込みモードへの移行可否の判断方法について説明する。図５は、割り込み判断部１１２による割り込みモードへの移行可否の判断方法を説明するフローチャートである。
【００３５】
まず、割り込み判断部１１２は複合端末装置１１４の装置モードがコピーモードか否かを装置設定部１１６から設定値を取得して判断する。ここで、複合端末装置１１４の装置モードがコピーモードでない場合（ステップＳ５０２  Ｎｏ）、割り込み判断部１１２は割り込み禁止と判断する（ステップＳ５０５）。一方、複合端末装置１１４の装置モードがコピーモードである場合（ステップＳ５０２  Ｙｅｓ）、割り込み判断部１１２による処理はステップＳ５０３に移行する。なお、コピーモードとは、ユーザがオペレータパネル１１５のコピーモードキー２０１を押下し、その旨を装置設定部１１６が設定値として設定しており、複合端末装置１１４がコピーを実行できる状態であることを表す。
【００３６】
次に、割り込み判断部１１２はＰＣデータ解析部１０７、又はＣｏｐｙデータ解析部１０８を介してジョブ管理部１０９に現在印刷ジョブが存在するか否かを問合せる。ここで、印刷ジョブが存在しない場合（ステップＳ５０３  Ｎｏ）、割り込み判断部１１２は割り込み禁止と判断する（ステップＳ５０５）。一方、印刷ジョブが存在する場合（ステップＳ５０３  Ｙｅｓ）、割り込み判断部１１２による処理はステップＳ５０４に移行する。
【００３７】
次に、割り込み判断部１１２は現在存在する印刷ジョブが電話回線ケーブル１０４を介して受信した印刷データに基づく印刷ジョブであるか否かを判断する。つまり、ここでの処理は、現在存在する印刷ジョブがＦＡＸ１０２から電話回線ケーブル１０４を介して受信した印刷データに基づく印刷ジョブ（ＦＡＸ受信印刷ジョブ）であるか否かの判断処理である。割り込み判断部１１２は、ＰＣデータ解析部１０７、Ｃｏｐｙデータ解析部１０８、又はジョブ管理部１０９を介してジョブ設定部１１７が保持している印刷ジョブの設定値、ここでは、図３に示すＮｏ．４：受信先を参照し、現在存在する印刷ジョブが電話回線ケーブル１０４を介して受信した印刷データに基づくものであるか否かを判断する。ここで、現在存在する印刷ジョブがＦＡＸ受信印刷ジョブである場合（ステップＳ５０４  Ｙｅｓ）、割り込み判断部１１２は割り込み禁止と判断する（ステップＳ５０５）。一方、現在存在する印刷ジョブがＦＡＸ受信印刷ジョブでない場合（ステップＳ５０５  Ｎｏ）、割り込み判断部１１２は割り込み可と判断する（ステップＳ５０６）。
【００３８】
ここで、ＦＡＸ受信印刷ジョブが割り込み禁止となる理由について図６を用いて説明する。図６は、複合端末装置１１４が解析、翻訳可能なＰＤＬの種類の一例を示したものである。図６に示すように、コピージョブに使用されるＰＤＬとＦＡＸ受信印刷ジョブに使用されるＰＤＬとは、共にＨｉｐｅｒ−ＭＩＰ形式と呼ばれるプリンタ記述言語である。ＰＤＬのプログラムでは、ＰＣＬ形式、ＰＳ形式、及びＨｉｐｅｒ−ＭＩＰ形式の何れもそれぞれ１つのリソースしか存在しないため、同時に同じＰＤＬを処理させることができない。つまり、例えば、ＦＡＸ受信印刷ジョブを一時停止している場合には、割り込みコピージョブを処理することができない。これは、ＦＡＸ受信印刷ジョブで使用されているメモリ領域や設定値を、割り込みコピージョブが同じメモリ領域や設定値を使用してしまうため、ＦＡＸ受信印刷ジョブを一時停止した後に、割り込みコピージョブを実行すると、印刷を再開できないためである。なお、Ｈｉｐｅｒ−ＭＩＰ形式のＰＤＬのリソースを２つ持つことが可能であれば、ＦＡＸ受信印刷ジョブの処理中においても、割り込みを許可することが可能ではあるが、同じプログラムを２つ持つことはシステムメモリ容量等の問題があり現実的ではないため、全てのＰＤＬはリソースを１つしか持っていない。これらの理由からＦＡＸ印刷ジョブに対しては割り込み禁止としている。
【００３９】
再び、図４を参照してステップＳ４０８以降にかかる処理について説明する。割り込み判断部１１２が割り込みモードへの移行が可能であると判断した場合（ステップＳ４０８  Ｙｅｓ）、割り込み判断部１１２はその旨を割り込み実行制御部１１３に通知する。通知を受けた割り込み実行制御部１１３は、ジョブ管理部１０９に対して割り込み要求を通知すると共に、実行中の印刷ジョブにかかる印刷を一時停止させる（ステップＳ４０９）。実行中の印刷ジョブかかる印刷が一時停止されると、割り込み実行制御部１１３は、複合端末装置１１４の装置モードを割り込みモードへ移行させる（ステップＳ４１０）。
【００４０】
そして、ユーザがオペレータパネル１１５のカラーコピーキー２０９、又はモノクロコピーキー２１０を押下すると、割り込み実行制御部１１３は、割り込みコピーを実行するために画像読取部１１８に対して原稿上の画像を読取るよう指示を与える。指示を受けた画像読取部１１８は、原稿上の画像を読取ると共に、読取った画像に基づく画像データを生成する。そして、画像データを生成した画像読取部１１８は画像の読取りが完了した旨を割り込み実行制御部１１３に通知する。通知を受けた割り込み実行制御部１１３は、画像読取部１１８が生成した画像データをＣｏｐｙデータ解析部１０８に出力すると共に、ジョブ管理部１０９に対して割り込みコピーにかかる印刷処理を実行させる。
【００４１】
一方、割り込み判断部１１２が割り込みモードへの移行が不可能であると判断した場合（ステップＳ４０８  Ｎｏ）、割り込み判断部１１２はその旨をオペレータパネル１１５のＬＣＤパネル２０５に表示させ、割り込みモードへの移行を禁止する（ステップＳ４１１）。
【００４２】
図７は、ホストＰＣ１０１から送信された印刷データを処理中に、あるタイミングでユーザがオペレータパネル１１５の割り込みキー２０７を押下した場合の複合端末装置１１４の処理を説明するタイムチャートである.。図７では、複合端末装置１１４がホストＰＣ１０１から受信した印刷データを展開中に、ユーザが割り込みキー２０７を押下した場合の事例である。この場合、ホストＰＣ１０１から送信される印刷データのＰＤＬはＰＣＬ形式、又はＰＳ形式であるため、割り込みコピーは実行可能である。
【００４３】
図８は、ＦＡＸ１０２から送信された印刷データを処理中に、あるタイミングでユーザがオペレータパネル１１５の割り込みキー２０７を押下した場合の複合端末装置１１４の処理を説明するタイムチャートである.。図８では、図７と同様に複合端末装置１１４がＦＡＸ１０２から受信した印刷データを展開中に、ユーザが割り込みキー２０７を押下した場合の事例である。この場合、ＦＡＸ１０２から送信される印刷データのＰＤＬはＨｉｐｅｒ−ＭＩＰ形式であるため、割り込みコピーは実行不可能である。
【００４４】
なお、本実施形態においては、例えば、複合端末装置１１４が印刷データを処理中に、ＦＡＸ１０２からＦＡＸ印刷ジョブの受信要求がなされた場合に、当該ＦＡＸ１０２に対して複合端末装置１１４自身が現在ビージー状態である旨のコマンドを送信して、ＦＡＸ１０２からのＦＡＸ印刷ジョブを割り込んで受信することを制限する形態としてもよい。
【００４５】
以上のように、第１の実施形態によれば、電話回線ケーブルを介してＦＡＸから送信された印刷データにかかる処理と、ジョブが存在しない待機状態を割り込み禁止としていることにより、必要な場合にのみ割り込みモードへの移行が可能となる。したがって、複合端末装置をコピー専用として使用することもできなくなるため、使い勝手が良くなる。
【００４６】
［第２の実施形態］
第２の実施形態にかかる複合端末装置９１４の構成は、第１の実施形態にかかる複合端末装置１１４の構成と略同一である。したがって、第２の実施形態の説明においては、第１の実施形態と同一な箇所については同一の符号を付して説明を省略し、異なる箇所について説明する。
【００４７】
図９は、第２の実施形態にかかる複合端末装置９１４の機能構成を説明するブロック図である。複合端末装置９１４は、第１の実施形態にかかる複合端末装置１１４の割り込み実行制御部１１３、及び画像読取部１１８に変えて割り込み実行制御部９１３、及び外部メモリ画像読出し部９１８を備える。
【００４８】
割り込み実行制御部９１３は、割り込みモードへの移行にかかる処理を実行する。つまり、割り込み実行制御部９１３は、割り込み判断部１１２がダイレクト印刷の実行を許可した場合に、ジョブ管理部１０９に対してダイレクト印刷要求を通知し、実行中の印刷ジョブにかかる印刷を一時停止させると共に、ダイレクト印刷を実行させる。
【００４９】
外部メモリ画像読出し部９１８は、例えば、ＵＳＢ（Universal Serial Bus）メモリ等の外部メモリを接続するためのコネクタや、コントローラ等を備え、外部メモリに記憶されている画像データを読出す。
【００５０】
本実施形態にかかる複合端末装置９１４の処理動作については、第１の実施形態にかかる複合端末装置１１４と同様に行うことができる。したがって、図４を再度使用して説明する。
【００５１】
まず、ステップＳ４０１において、複合端末装置９１４は、印刷データを送信する上位装置がホストＰＣ１０１であれば、ＬＡＮケーブル１０３を介してＰＣデータ受信部１０５で印刷データを受信し、上位装置がＦＡＸ１０２であれば、電話回線ケーブル１０４を介してＦＡＸデータ受信部１０６で印刷データを受信する。
【００５２】
ＰＣデータ受信部１０５、若しくはＦＡＸデータ受信部１０６において、印刷データを受信すると、ジョブ管理部１０９は、印刷ジョブを生成すると共に（ステップＳ４０２）、ＰＣデータ解析部１０７、若しくはＣｏｐｙデータ解析部１０８に対して受信した印刷データを解析するよう指示を与える。
【００５３】
ここで、ＰＣデータ受信部１０５で印刷データを受信した場合、ＰＣデータ解析部１０７が印刷データの解析を行い、ＦＡＸデータ受信部１０６で印刷データを受信した場合、Ｃｏｐｙデータ解析部１０８が印刷データの解析を行う。なお、画像読取部１１８で生成された画像データについては、Ｃｏｐｙデータ解析部１０８が画像データの解析を行う。そして、ＰＣデータ解析部１０７、又はＣｏｐｙデータ解析部１０８は印刷データの解析結果をジョブ管理部１０９に出力する。
【００５４】
次に、ジョブ管理部１０９は、ＰＣデータ解析部１０７、又はＣｏｐｙデータ解析部１０８に対して印刷データの解析、翻訳を指示すると共に（ステップＳ４０４）、印刷データの翻訳により生成したページデータと印刷ジョブとを関連付ける。
【００５５】
そして、ジョブ管理部１０９は、印刷ジョブとページデータとを印刷制御部１１０に出力する。印刷ジョブとページデータとが入力された印刷制御部１１０は、当該ページデータをエンジン部１１１に出力し、エンジン部１１１は入力されたページデータに基づく画像の印刷を開始する（ステップＳ４０５）。
【００５６】
なお、ここで、上位装置から送信された印刷データの受信、印刷データの解析、翻訳（印刷データの編集と展開処理）、印刷データに基づく画像の印刷にかかる処理を受信処理と定義する。
【００５７】
受信処理が開始された後、あるタイミングでユーザがオペレータパネル１１５の割り込みキー２０７を押下すると（ステップＳ４０６）、装置設定部１１６は、ユーザが割り込みキー２０７を押下した旨を設定値として設定すると共に、実際に割り込みモードへの移行可否を判断するよう割り込み判断部１１２に指示を与える。指示を受けた割り込み判断部１１２は、割り込みモードへの移行可否を判断する（ステップＳ４０７）。なお、割り込みモードとは、印刷ジョブにかかる処理を一時中断し、割り込みで外部メモリから画像データを読出し、ダイレクト印刷機能のみが使用できる状態のことを表す。
【００５８】
ここで、割り込み判断部１１２による割り込みモードへの移行可否の判断方法について説明する。図１０は、割り込み判断部１１２による割り込みモードへの移行可否の判断方法を説明するフローチャートである。
【００５９】
まず、割り込み判断部１１２は複合端末装置９１４の装置モードがプリントモードか否かを装置設定部１１６から設定値を取得して判断する。ここで、複合端末装置９１４の装置モードがプリントモードでない場合（ステップＳ１００２  Ｎｏ）、割り込み判断部１１２は割り込み禁止と判断する（ステップＳ１００５）。一方、複合端末装置９１４の装置モードがプリントモードである場合（ステップＳ１００２  Ｙｅｓ）、割り込み判断部１１２による処理はステップＳ１００３に移行する。なお、プリントモードとは、ユーザがオペレータパネル１１５のプリントモードキー２０４を押下し、その旨を装置設定部１１６が設定値として設定しており、複合端末装置９１４が外部メモリに記憶された画像データのダイレクト印刷が実行できる状態であることを表す。
【００６０】
次に、割り込み判断部１１２はＰＣデータ解析部１０７、又はＣｏｐｙデータ解析部１０８を介してジョブ管理部１０９に現在印刷ジョブが存在するか否かを問合せる。ここで、印刷ジョブが存在しない場合（ステップＳ１００３  Ｎｏ）、割り込み判断部１１２は割り込み禁止と判断する（ステップＳ１００５）。一方、印刷ジョブが存在する場合（ステップＳ１００３  Ｙｅｓ）、割り込み判断部１１２による処理はステップＳ１００４に移行する。
【００６１】
次に、割り込み判断部１１２は現在存在する印刷ジョブが電話回線ケーブル１０４を介して受信した印刷データに基づく印刷ジョブであるか否かを判断する。つまり、ここでの処理は、現在存在する印刷ジョブがＦＡＸ１０２から電話回線ケーブル１０４を介して受信した印刷データに基づく印刷ジョブ（ＦＡＸ受信印刷ジョブ）であるか否かの判断処理である。割り込み判断部１１２は、ＰＣデータ解析部１０７、Ｃｏｐｙデータ解析部１０８、又はジョブ管理部１０９を介してジョブ設定部１１７が保持している印刷ジョブの設定値、ここでは、図３に示すＮｏ．４：受信先を参照し、現在存在する印刷ジョブが電話回線ケーブル１０４を介して受信した印刷データに基づくものであるか否かを判断する。ここで、現在存在する印刷ジョブがＦＡＸ受信印刷ジョブである場合（ステップＳ１００４  Ｙｅｓ）、割り込み判断部１１２は割り込み禁止と判断する（ステップＳ１００５）。一方、現在存在する印刷ジョブがＦＡＸ受信印刷ジョブでない場合（ステップＳ１００５  Ｎｏ）、割り込み判断部１１２は割り込み可と判断する（ステップＳ１００６）。
【００６２】
再び、図４を参照してステップＳ４０８以降にかかる処理について説明する。割り込み判断部１１２が割り込みモードへの移行が可能であると判断した場合（ステップＳ４０８  Ｙｅｓ）、割り込み判断部１１２はその旨を割り込み実行制御部９１３に通知する。通知を受けた割り込み実行制御部９１３は、ジョブ管理部１０９に対して割り込み要求を通知すると共に、実行中の印刷ジョブにかかる印刷を一時停止させる（ステップＳ４０９）。実行中の印刷ジョブかかる印刷が一時停止されると、割り込み実行制御部９１３は、複合端末装置９１４の装置モードを割り込みモードへ移行させる（ステップＳ４１０）。
【００６３】
そして、ユーザがオペレータパネル１１５のプリントモードキー２０４を押下すると、割り込み実行制御部９１３は、ダイレクト印刷を実行するために外部メモリ画像読出し部９１８に対して外部メモリに記憶された画像データを読取るよう指示を与える。指示を受けた外部メモリ画像読出し部９１８は、外部メモリに記憶された画像データを読取る。そして、外部メモリ画像読出し部９１８は画像データの読出しが完了した旨を割り込み実行制御部９１３に通知する。通知を受けた割り込み実行制御部９１３は、外部メモリ画像読出し部９１８が読出した画像データをＣｏｐｙデータ解析部１０８に出力すると共に、ジョブ管理部１０９に対して割り込みコピーにかかる印刷処理を実行させる。
【００６４】
一方、割り込み判断部１１２が割り込みモードへの移行が不可能であると判断した場合（ステップＳ４０８  Ｎｏ）、割り込み判断部１１２はその旨をオペレータパネル１１５のＬＣＤパネル２０５に表示させ、割り込みモードへの移行を禁止する（ステップＳ４１１）。
【００６５】
図１１は、ホストＰＣ１０１から送信された印刷データを処理中に、あるタイミングでユーザがオペレータパネル１１５のプリントモードキー２０４を押下した場合の複合端末装置９１４の処理を説明するタイムチャートである.。図１１では、複合端末装置９１４がホストＰＣ１０１から受信した印刷データを展開中に、ユーザがプリントモードキー２０４を押下した場合の事例である。この場合、ホストＰＣ１０１から送信される印刷データのＰＤＬはＰＣＬ形式、又はＰＳ形式であるため、ダイレクト印刷は実行可能である。
【００６６】
図１２は、ＦＡＸ１０２から送信された印刷データを処理中に、あるタイミングでユーザがオペレータパネル１１５のプリントモードキー２０４を押下した場合の複合端末装置９１４の処理を説明するタイムチャートである.。図１２では、図１１と同様に複合端末装置９１４がＦＡＸ１０２から受信した印刷データを展開中に、ユーザがプリントモードキー２０４を押下した場合の事例である。この場合、ＦＡＸ１０２から送信される印刷データのＰＤＬはＨｉｐｅｒ−ＭＩＰ形式であるため、ダイレクト印刷は実行不可能である。
【００６７】
以上のように、第２の実施形態によれば、電話回線ケーブルを介してＦＡＸから送信された印刷データにかかる処理と、ジョブが存在しない待機状態を割り込み禁止としていることにより、必要な場合にのみ割り込みモードへの移行し割り込みで外部メモリに記憶されている画像データのダイレクト印刷が可能となる。したがって、複合端末装置を外部メモリからのダイレクト印刷専用として使用することもできなくなるため、使い勝手が良くなる。
【００６８】
第１の実施形態、及び第２の実施形態の説明においては、本発明を複合端末装置に適用した例について説明したが、本発明はこれに限定されず、画像データを取り扱う装置であれば、例えば、コピー機等の画像処理装置にも適用可能である。
【符号の説明】
【００６９】
１０１  ホストＰＣ
１０２  ＦＡＸ
１０３  ＬＡＮケーブル
１０４  電話回線ケーブル
１０５  ＰＣデータ受信部
１０６  ＦＡＸデータ受信部
１０７  ＰＣデータ解析部
１０８  Ｃｏｐｙデータ解析部
１０９  ジョブ管理部
１１０  印刷制御部
１１１  エンジン部
１１２  割り込み判断部
１１３  割り込み実行制御部
１１４  複合端末装置
１１５  オペレータパネル
１１６  装置設定部
１１７  ジョブ設定部
１１８  画像読取部
２０１  コピーモードキー
２０２  ＦＡＸモードキー
２０３  スキャナモードキー
２０４  プリントキー
２０５  ＬＣＤパネル
２０６  テンキー
２０７  割り込みキー
２０８  ストップキー
２０９  カラーコピーキー
２１０  モノクロコピーキー
９１３  割り込み実行制御部
９１４  複合端末装置
９１８  外部メモリ画像読出し部
【図１】
2010171494.tif 000003
【図２】
2010171494.tif 000004
【図３】
2010171494.tif 000005
【図４】
2010171494.tif 000006
【図５】
2010171494.tif 000007
【図６】
2010171494.tif 000008
【図７】
2010171494.tif 000009
【図８】
2010171494.tif 000010
【図９】
2010171494.tif 000011
【図１０】
2010171494.tif 000012
【図１１】
2010171494.tif 000013
【図１２】
2010171494.tif 000014